(57)【要約】【課題】バスバーを一種類にして、接点間のピッチや外形状、大きさ等が異なる複数種の表面実装用の電子部品を接続できる電子部品の接続構造を提供する。【解決手段】一端１７にそれぞれ端子部１９を形成した２本のバスバー１３が離間してハウジング１５内に並列配置される。各端子部１９には２種類の電子部品の各一対の接点部に弾接可能な二対の平行な左右接触バネ片２３ａ，２４ａ，２３ｂ，２４ｂが上下２段に配置して形成される。並列配置されたバスバー１３の上段における左右接触バネ片２３ａ，２４ａが２本のバスバー１３間に配置された半導体発光素子の一対の接点部と接続され、並列配置されたバスバー１３の下段における左右接触バネ片２４ｂ，２４ｂが２本のバスバー間に配置されたツエナーダイオードの一対の接点部と接続される。バスバー１３の他端２６に形成される一対のオスタブ３１は、不要な方がカットされて所望のピッチで使用される。【選択図】図１
2013218797.tif 000002
【特許請求の範囲】
【請求項１】
一端にそれぞれ端子部を形成した複数のバスバーが離間して並列配置され、前記各端子部には電子部品の各一対の接点部に弾接可能な少なくとも二対の平行な左右接触バネ片が形成され、
並列配置された前記バスバーにおける前記左右接触バネ片のうち少なくとも何れか２片が前記バスバー間に配置された前記電子部品の各一対の前記接点部と接続され、
前記バスバーの他端には前記並列配置の方向に並んだ平行な一対のオスタブが突出して形成されていることを特徴とする電子部品の接続構造。
【請求項２】
複数の前記バスバーが前記オスタブを外方へ突出させてハウジング内に収容され、
挿入開口を有するカバーに、前記ハウジングが前記オスタブの突出方向を挿入方向後方に向けて前記挿入開口から挿入され、
前記カバーの挿入開口に、前記オスタブと電気的に接続されるメス端子を備えたメスコネクタが挿入されることを特徴とする請求項１に記載の電子部品の接続構造。
【発明の詳細な説明】
【技術分野】
【０００１】
本発明は、異なる接点間ピッチの電子部品を接続可能とする電子部品の接続構造に関する。
【背景技術】
【０００２】
電子部品の電気的な接続を確実に行うことで高い信頼性を得る電子部品の接続構造が特許文献１に開示されている。図１１に示すように、この電子部品の接続構造は、ハウジングに、一対のバスバー５０１，５０３が組み付けられるとともに光源である半導体発光素子（ＬＥＤ）５０５が組み付けられる。平板形状をなして２分割されたバスバー５０１，５０３は、電線接続部５０７と、ツエナーダイオード接続部５０９と、抵抗器接続部５１１と、ＬＥＤ接続部５１３と、を有する。抵抗器接続部５１１には、２分割されたバスバー５０１，５０３のそれぞれに圧接刃５１５，５１５が備えられる。ツエナーダイオード接続部５０９には、単一の圧接刃５１７が一方のバスバー５０１に、単一の圧接刃５１９が他方のバスバー５０３に備えられる。
【０００３】
ツエナーダイオード５２１は、一方のリード部５２３が一方のバスバー５０１に、他方のリード部５２５が他方のバスバー５０３にそれぞれ電気的に接続されることで、抵抗器５２７の下流側で一対のバスバー５０１，５０３に並列に接続され、ダイオードに順起電力が流れる方向で静電気により回路に印加される突発的な大電圧からのＬＥＤを破壊から保護し、ダイオードに逆起電力が流れる方向では通電を阻止し、同じくＬＥＤを破壊から保護する機能を果たす。
【先行技術文献】
【特許文献】
【０００４】
【特許文献１】特開２００７−１４９７６２号公報
【発明の概要】
【発明が解決しようとする課題】
【０００５】
しかしながら、従来の電子部品の接続構造は、電子部品の形状、大きさに合わせ異なる寸法の接続部（圧接刃５１５，５１５，圧接刃５１７，圧接刃５１９）を形成した２種類のバスバー５０１，５０３が必要となった。また、リード部を有したスルーホール用の電子部品（ツエナーダイオード５２１，抵抗器５２７）しか実装できず、近年需要が多く安価となった表面実装用の電子部品の接続ができない問題があった。
【０００６】
本発明は上記状況に鑑みてなされたもので、その目的は、バスバーを一種類にして、接点間のピッチや外形状、大きさ等が異なる複数種の表面実装用の電子部品を接続できる電子部品の接続構造を提供することにある。
【課題を解決するための手段】
【０００７】
本発明に係る上記目的は、下記構成により達成される。
（１）  一端にそれぞれ端子部を形成した複数のバスバーが離間して並列配置され、前記各端子部には電子部品の各一対の接点部に弾接可能な少なくとも二対の平行な左右接触バネ片が形成され、並列配置された前記バスバーにおける前記左右接触バネ片のうち少なくとも何れか２片が前記バスバー間に配置された前記電子部品の各一対の前記接点部と接続され、前記バスバーの他端には前記並列配置の方向に並んだ平行な一対のオスタブが突出して形成されていることを特徴とする電子部品の接続構造。
【０００８】
上記（１）の構成の電子部品の接続構造によれば、少なくとも二対の左右接触バネ片が形成された端子部を有する複数のバスバーが離間して並列配置され、複数のバスバーにおける左右接触バネ片のうち少なくとも何れか２片が、バスバー間に配置された電子部品の各一対の接点部と接続される。そこで、並列配置された複数のバスバー間における端子部には、接点間ピッチや外形状、大きさ等の異なる複数種の電子部品が接続可能となる。
更に、各バスバーの他端に形成される一対のオスタブは、不要な方をカットすることで、複数のバスバーの他端に形成されるオスタブを所望の異なるピッチで使用することが可能となる。そこで、一種類のバスバーを用いながらバスバーの間隔変更とオスタブのピッチ変更を両立することができる。
【０００９】
（２）  上記（１）の構成の電子部品の接続構造であって、複数の前記バスバーが前記オスタブを外方へ突出させてハウジング内に収容され、挿入開口を有するカバーに、前記ハウジングが前記オスタブの突出方向を挿入方向後方に向けて前記挿入開口から挿入され、前記カバーの挿入開口に、前記オスタブと電気的に接続されるメス端子を備えたメスコネクタが挿入されることを特徴とする電子部品の接続構造。
【００１０】
上記（２）の構成の電子部品の接続構造によれば、ハウジング内に収容されたバスバーは、ハウジングから突出する複数のオスタブのうち、不要なものがカットされ、所望のものが残される。その結果、ハウジングからは所望のピッチでオスタブを突出させることができる。オスタブの突出したハウジングは、オスタブの突出方向を後方に向けてカバーに装着される。ハウジングから突出したオスタブがカバーの内方に配置されるので、メスコネクタがカバーに挿入されると、カバーの内方に配置されているオスタブにメスコネクタのメス端子が電気的に接続される。これにより、バスバーが一種類でありながら、電子部品の接点間ピッチに応じて並列配置されるバスバーの間隔が変更された際には、カットするオスタブを適宜選択することで、バスバーの他端に形成されるオスタブのピッチをメスコネクタに収容されたメス端子のピッチに合わせることができる。そこで、メス端子のピッチに応じてカバーの内方に配置されているオスタブは、メスコネクタのメス端子との接続が可能となる。そこで、一種類のバスバーを用いながらバスバーの間隔変更とオスタブのピッチ変更を両立してコネクタ嵌合できる。
【発明の効果】
【００１１】
本発明に係る電子部品の接続構造によれば、バスバーを一種類にして、接点間のピッチや外形状、大きさ等が異なる表面実装用の電子部品を接続でき、バスバーのピッチとオスタブのピッチを両立してコネクタ嵌合できる。
【図面の簡単な説明】
【００１２】
【図１】本発明の一実施形態に係る電子部品の接続構造に用いられる２本のバスバーとハウジングの分解斜視図である。
【図２】図１に示したバスバーの拡大斜視図である。
【図３】（ａ）は図１に示したバスバーの平面図、（ｂ）はその側面図、（ｃ）は（ａ）のＡ−Ａ断面矢視図で、電子部品の装着状態を示した図である。
【図４】（ａ）は半導体発光素子の斜視図、（ｂ）はツエナーダイオードの斜視図である。
【図５】本発明の一実施形態に係る電子部品の接続構造における電子部品組付け工程を説明する図である。
【図６】同様に抵抗器組付け工程を説明する図である。
【図７】（ａ）は同様に破断部が破断される前の斜視図、（ｂ）はその平面図である。
【図８】（ａ）は同様に破断部が破断された後の斜視図、（ｂ）はその平面図である。
【図９】同様にハウジング組付け工程を説明する図である。
【図１０】同様にメスコネクタ組付け工程を説明する図である。
【図１１】従来の電子部品の接続構造の斜視図である。
【発明を実施するための形態】
【００１３】
以下、本発明に係る実施形態を図面を参照して説明する。
図１は本発明の一実施形態に係る電子部品の接続構造に用いられる２本のバスバーとハウジングの分解斜視図、図２は図１に示したバスバーの拡大斜視図である。
本実施形態に係る電子部品１１の接続構造は、図１に示す２本の同一形状のバスバー１３を構成の主要部として有している。この２本のバスバー１３は、ハウジング１５に収容されて使用される。
【００１４】
本実施形態に係る２本のバスバー１３は、一端１７にそれぞれ端子部１９を形成し、離間して並列配置される。端子部１９は、複数種（本実施形態では２種類）の電子部品１１の各一対の接点部２１（図４参照）に弾接可能な少なくとも二対の平行な左右接触バネ片２３ａ，２４ａ、２３ｂ，２４ｂが上下多段（本実施形態では２段）に配置して形成される。但し、本発明の電子部品の接続構造は、これに限定されるものではなく、一段の端子部のみの構成でも、三段以上の多段の構成でもよい。
本実施形態では、１本のバスバー１３に、略Ｙ字状に分岐した一対の接触バネ片２３，２４の先端に二対の左右接触バネ片２３ａ，２４ａ、２３ｂ，２４ｂが設けられる。並列配置されたバスバー１３の上段における４つの左右接触バネ片２３ａ，２４ａ，２３ａ，２４ａのうち隣接する２つの左右接触バネ片２４ａ，２３ａの電気接触部４５が、２本のバスバー１３間に配置された第１の電子部品１１である半導体発光素子２５の一対の接点部２１と接続する（図３参照）。また、並列配置されたバスバー１３の下段における４つの左右接触バネ片２３ｂ，２４ｂ，２３ｂ，２４ｂのうち１つの左右接触バネ片２３ｂを跨いだ２つの左右接触バネ片２４ｂ，２４ｂの電気接触部４５が、２本のバスバー１３間で半導体発光素子２５の下方に位置する第２の電子部品１１であるツエナーダイオード２７の一対の接点部２１と接続する（図３参照）。
【００１５】
バスバー１３は、ハウジング１５に装着された状態でその一部分がハウジング１５の外部に突出される。本実施形態において、バスバー１３の一部分がハウジング１５から突出する側を「後」、その反対側を「前」と称する。バスバー１３の他端２６である後端には、オスタブ３１が突出して形成されている。オスタブ３１は、一つのバスバー１３において、バスバー１３の並列配置の方向に並んで一対のものが平行に形成されている。
このオスタブ３１は、基端がカットされることでバスバー１３の他端２６から除去可能となっている。すなわち、不要な方をカットすることで、複数のバスバー１３の他端２６に形成されるオスタブ３１を所望の異なるピッチや配置で使用することが可能となる。オスタブ３１の前部には、後部当接片３３と、後部弾性脚３５と、前部弾性脚３７と、前部当接片３９とが連設される。
【００１６】
図２の背面側の前部当接片３９には、バスバー１３の一端１７（前端）となる端子部１９が連結部４１（図３（ａ）参照）を介して連設されている。オスタブ３１、後部当接片３３、後部弾性脚３５、前部弾性脚３７、前部当接片３９、端子部１９は、板金加工により一体に打ち抜かれた後、図２に示す形状に折り曲げ加工される。バスバー１３の端子部１９は、一対の側壁４３が平行となるようにＵ字状に折り曲げ形成され、側壁４３のそれぞれに接触バネ片２３，２４が打ち抜き成形される。バスバー１３の本体がＵ字状に折り曲げられて形成され、その対向する一対の側壁４３に、打ち抜き加工によって略Ｙ字状に分岐した接触バネ片２３，２４の先端に二対の左右接触バネ片２３ａ，２４ａ、２３ｂ，２４ｂが形成されることにより、多数の電気接触部４５を有する弾接構造が容易且つコンパクトに製造可能となっている。
【００１７】
図３（ａ）は図１に示したバスバー１３の平面図、（ｂ）はその側面図、（ｃ）は（ａ）のＡ−Ａ断面矢視図で、電子部品の装着状態を示した図、図４（ａ）は半導体発光素子２５の斜視図、（ｂ）はツエナーダイオード２７の斜視図である。
１本のバスバー１３において、一対の接触バネ片２３，２４は、平行となるように形成され、略Ｙ字状に分岐した各先端に二対の左右接触バネ片２３ａ，２４ａ、２３ｂ，２４ｂを有する。各左右接触バネ片２３ａ，２４ａ、２３ｂ，２４ｂの先端に突設される電気接触部４５は、接点が頂角となる三角形状に形成される。図３（ａ）に示すように、バスバー１３は、２本が平行に離間配置される。これにより、並列配置されたバスバー１３の左右接触バネ片２３ａ，２４ａ、２３ｂ，２４ｂの先端の電気接触部４５は、図３（ｃ）に示すように、片側４箇所ずつの８箇所に配置されることになる。並列配置されたバスバー１３の上段における４つの左右接触バネ片２３ａ，２４ａ，２３ａ，２４ａの上側４箇所の電気接触部４５には、それぞれのバスバー１３に形成された上方部品座部４７が対峙される。また、並列配置されたバスバー１３の下段における４つの左右接触バネ片２３ｂ，２４ｂ，２３ｂ，２４ｂの下側４箇所の電気接触部４５には、それぞれのバスバー１３に形成された下方部品座部４９が対峙される。
【００１８】
上方部品座部４７と、上段における４つの左右接触バネ片２３ａ，２４ａ，２３ａ，２４ａの上側４箇所の電気接触部４５との間には、半導体発光素子２５が装着されている。下段における４つの左右接触バネ片２３ｂ，２４ｂ，２３ｂ，２４ｂの下側４箇所の電気接触部４５と、下方部品座部４９との間には、ツエナーダイオード２７が装着されている。半導体発光素子２５は、図４（ａ）に示すように、一方の面に、一対の接点部２１が設けられた表面実装用の電子部品１１となっている。また、ツエナーダイオード２７も、図４（ｂ）に示すように、一方の面に一対の接点部２１が設けられた表面実装用の電子部品１１となっている。
【００１９】
半導体発光素子２５は、図３（ｃ）に示すように、接点部２１を設けた面が、上段の左右接触バネ片２３ａ，２４ａの電気接触部４５に向けられ、背面が上方部品座部４７に当接される。ツエナーダイオード２７は、接点部２１を設けられた面が、下段の左右接触バネ片２３ｂ，２４ｂの電気接触部４５の側に向けられ、背面が下方部品座部４９に当接される。
本実施形態では、半導体発光素子２５の接点間ピッチが、ツエナーダイオード２７の接点間ピッチよりも小さい。つまり、２つの電子部品１１は、異なる接点間ピッチとなっている。電子部品１１の接続構造では、このような異なる接点間ピッチの２種類の電子部品１１を同時に実装可能としている。すなわち、図３（ｃ）に示すように、並列配置されたバスバー１３の上段における４つの左右接触バネ片２３ａ，２４ａ，２３ａ，２４ａのうち隣接する２つの左右接触バネ片２４ａ，２３ａの電気接触部４５が半導体発光素子２５の一対の接点部２１に接触し、並列配置されたバスバー１３の下段における４つの左右接触バネ片２３ｂ，２４ｂ，２３ｂ，２４ｂのうち１つの左右接触バネ片２３ｂを跨いだ２つの左右接触バネ片２４ｂ，２４ｂの電気接触部４５がツエナーダイオード２７の一対の接点部２１に接触している。
【００２０】
すなわち、図３（ｃ）において、半導体発光素子２５は、並列配置されたバスバー１３の上段の電気接触部４５において、左側から２番目の電気接触部４５と、左側から３番目の電気接触部４５とに接続される。また、ツエナーダイオード２７は、並列配置されたバスバー１３の下段の電気接触部４５において、左側から１番目の電気接触部４５と、左側から３番目の電気接触部４５とに接続されるが、左側から２番目の電気接触部４５と、左側から４番目の電気接触部４５とに接続することもできる。また、本実施の形態において、ツエナーダイオード２７は、接点間ピッチが、電気接触部４５の接点間ピッチの２倍の距離となるものが用いられているが、接点間ピッチが電気接触部４５の接点間ピッチの３倍の距離となるものも用いることができる。この場合、ツエナーダイオード２７の一対の接点部２１は、左側から１番目の電気接触部４５と、左側から４番目の電気接触部４５とに接続される。
【００２１】
また、本実施形態の電子部品１の接続構造では、図３（ａ）に示す並列配置された２つのバスバー１３からそれぞれ一方の不要なオスタブ３１が除去されることで（図８参照）、残される２つのオスタブ３１のピッチや配置が変更可能となる。残される２つのオスタブ３１のピッチは、図３（ａ）に示した左右のバスバー１３において、それぞれ外側のオスタブ３１同士、内側のオスタブ３１同士、一方の外側及び他方の内側のオスタブ３１同士の３種に変更可能となる。同一ピッチでの配置は、図３（ａ）に示した左右のバスバー１３において、一方の外側及び他方の内側のオスタブ３１同士、一方の内側及び他方の外側のオスタブ３１同士の２種に変更可能となる。
【００２２】
次に、上記構成の電子部品１１の接続構造の組付け工程を説明する。
図５は本発明の一実施形態に係る電子部品の接続構造における電子部品組付け工程を説明する図、図６は同様に抵抗器組付け工程を説明する図、図７（ａ）は同様に破断部が破断される前の斜視図、（ｂ）はその平面図、図８（ａ）は同様に破断部が破断された後の斜視図、（ｂ）はその平面図、図９は同様にハウジング組付け工程を説明する図、図１０は同様にメスコネクタ組付け工程を説明する図である。
上記の電子部品１１の接続構造は、例えばＬＥＤユニット５３（図１０参照）に好適に採用することができる。電子部品１１の接続構造をＬＥＤユニット５３に適用するには、図１に示したように、２本のバスバー１３をハウジング１５に装着する。
【００２３】
ハウジング１５には２つのバスバー収用室５５が形成される。バスバー収用室５５は、後端が後壁５７（図１参照）となり、その前方の内壁面に一対の保持溝５９がそれぞれのバスバー収用室５５に形成されている。バスバー収用室５５に挿入されたバスバー１３は、後部当接片３３（図１参照）と後部弾性脚３５とで後壁５７を挟持し、ハウジング１５から脱落規制されて装着される。
【００２４】
図５に示すように、ハウジング１５の前面にはＬＥＤ装着開口部６１と、ダイオード装着開口部６３とが上下２段で形成されている。ＬＥＤ装着開口部６１には、半導体発光素子２５が、接点部２１を下側にして挿入される。ダイオード装着開口部６３には、ツエナーダイオード２７が、接点部２１を上側にして挿入される。これにより、それぞれの接点部２１が図３（ｃ）に示したように、それぞれの電気接触部４５に接続される。また、図６に示すように、ハウジング１５の底面には抵抗装着開口部６４が形成されており、抵抗器２８が挿入される。これにより、それぞれのバスバー１３における前部当接片３９と前部弾性脚３７とで抵抗器２８を挟持し、前部弾性脚３７の電気接触部が抵抗器２８の一対の接点部に接続される（図３（ｂ）参照）。
ここで、本実施形態に係るＬＥＤユニット５３は、半導体発光素子２５及びツエナーダイオード２７と、陽極端子及び負極端子との間にそれぞれ抵抗器２８を設けた回路とする必要がある。そこで、図７に示すように、バスバー１３における一対の前部当接片３９と端子部１９との間に連結部４１が形成される。この連結部４１は、図８に示すように、カットされる。
【００２５】
次いで、それぞれのバスバー１３における不要なオスタブ３１がカットされ、所望のピッチのオスタブ３１が残される。このオスタブ３１同士のピッチは、メスコネクタ６９（図１０参照）に収容されるメス端子（図示せず）のピッチにより決まる。本実施形態ではそれぞれのバスバー１３の外側のオスタブ３１が除去される。これにより、それぞれのバスバー１３に装着された抵抗器２８は、半導体発光素子２５及びツエナーダイオード２７と、陽極端子及び負極端子との間に直列接続で設けられることになる。
【００２６】
図８に示すように、本実施形態の電子部品１１の接続構造では、並列配置された一対のバスバー１３のピッチ（間隔）Ｐ１は、半導体発光素子２５の幅寸法及び接点間隔により決まる。オスタブ３１のピッチＰ２は、メスコネクタ側のメス端子のピッチにより決まる。このようにして、本実施形態の電子部品１１の接続構造では、バスバー１３のピッチＰ１とオスタブ３１のピッチＰ２を両立できるため、左右のバスバー１３の共通化を実現することができる。
【００２７】
図９に示すように、半導体発光素子２５と、ツエナーダイオード２７とを装着したハウジング１５は、カバーであるレンズカバー６５に装着される。レンズカバー６５の後端面には挿入開口であるハウジング挿入開口６７が形成されている。オスタブ３１の突出したハウジング１５は、オスタブ３１の突出方向を後方に向けてレンズカバー６５内に装着される。レンズカバー６５に挿入されたハウジング１５は、オスタブ３１がレンズカバー６５の内部で後方に向かって突出している。
【００２８】
図１０に示すように、ハウジング１５を装着したレンズカバー６５には、メスコネクタ６９がハウジング挿入開口６７から挿入される。メスコネクタ６９がレンズカバー６５に挿入されると、レンズカバー６５の内方に配置されているオスタブ３１にメスコネクタ６９のメス端子が電気的に接続される。
【００２９】
レンズカバー６５に挿入されたメスコネクタ６９は、レンズカバー６５に形成される係止突起７１に、係止部（図示せず）を係止して、レンズカバー６５からのハウジング１５と、メスコネクタ６９自身との離脱が規制される。レンズカバー６５に、ハウジング１５、メスコネクタ６９が装着されることで図１０に示すＬＥＤユニット５３が構成される。
【００３０】
このように、本実施形態の電子部品１１の接続構造では、二対の平行な左右接触バネ片２３ａ，２４ａ、２３ｂ，２４ｂが上下２段に配置して形成された端子部１９を有する２本のバスバー１３が離間して並列配置される。そして、並列配置されたバスバー１３の上段における４つの左右接触バネ片２３ａ，２４ａ，２３ａ，２４ａのうち隣接する２つの左右接触バネ片２４ａ，２３ａの電気接触部４５が、２本のバスバー１３間に配置された半導体発光素子２５の一対の接点部２１に接続される。また、並列配置されたバスバー１３の下段における４つの左右接触バネ片２３ｂ，２４ｂ，２３ｂ，２４ｂのうち１つの左右接触バネ片２３ｂを跨いだ２つの左右接触バネ片２４ｂ，２４ｂの電気接触部４５が、２本のバスバー１３間で半導体発光素子２５の下方に位置するツエナーダイオード２７の一対の接点部２１に接続され、接点間ピッチ、外形状、大きさが異なる電子部品１１が接続可能となる。
【００３１】
また、略Ｙ字状に分岐した各先端に二対の平行な左右接触バネ片２３ａ，２４ａ、２３ｂ，２４ｂが形成された一対の接触バネ片２３，２４を有するバスバー１３が、２本平行に離間配置されることで、片側４箇所の電気接触部４５が両側で８箇所配置される。これにより、並列配置された２本のバスバー１３の上段における４つの左右接触バネ片２３ａ，２４ａ，２３ａ，２４ａのうち隣接する２つの左右接触バネ片２４ａ，２３ａの電気接触部４５に大きさ及び接点間ピッチの小さい半導体発光素子２５が接続可能となり、下段における４つの左右接触バネ片２３ｂ，２４ｂ，２３ｂ，２４ｂのうち１つの左右接触バネ片２３ｂを跨いだ２つの左右接触バネ片２４ｂ，２４ｂの電気接触部４５に大きさ及び接点間ピッチの大きいツエナーダイオード２７が接続可能となる。
【００３２】
更に、各バスバー１３の他端に形成される一対のオスタブ３１は、不要な方をカットすることで、２本のバスバー１３の他端２６に形成されるオスタブ３１を所望の異なるピッチＰ２で使用することが可能となる。そこで、一種類のバスバー１３を用いながらバスバー１３の間隔変更とオスタブ３１のピッチ変更を両立することができる。
【００３３】
即ち、ハウジング１５内に収容された２本のバスバー１３は、ハウジング１５から突出する４本のオスタブ３１のうち、不要なものがカットされ、所望の２本のオスタブ３１が残される。その結果、ハウジング１５からは所望のピッチＰ２で２本のオスタブ３１を突出させることができる。
【００３４】
オスタブ３１の突出したハウジング１５は、オスタブ３１の突出方向を後方に向けてレンズカバー６５に装着される。ハウジング１５から突出したオスタブ３１がレンズカバー６５の内方に配置されるので、メスコネクタ６９がレンズカバー６５に挿入されると、レンズカバー６５の内方に配置されているオスタブ３１にメスコネクタ６９のメス端子が電気的に接続される。
【００３５】
これにより、バスバー１３が一種類でありながら、半導体発光素子２５の接点間ピッチに応じて並列配置される一対のバスバー１３の間隔（ピッチＰ１）が変更された際には、カットするオスタブ３１を適宜選択することで、バスバー１３の他端２６に形成されるオスタブ３１のピッチＰ２をメスコネクタ６９に収容されたメス端子のピッチに合わせることができる。そこで、メス端子のピッチに応じてレンズカバー６５の内方に配置されているオスタブ３１は、メスコネクタ６９のメス端子との接続が可能となる。そこで、一種類のバスバー１３を用いながらバスバー１３の間隔変更とオスタブ３１のピッチ変更を両立してコネクタ嵌合できる。
【００３６】
上述した様に、本発明の電子部品の接続構造によれば、一種類のバスバーを用いて、接点間のピッチや外形状、大きさ等が異なる複数種の表面実装用の電子部品を種々の接続回路形態に接続することができ、バスバーのピッチとオスタブのピッチを両立してコネクタ嵌合できる。
【００３７】
本発明の電子部品の接続構造は、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３８】
１１  電子部品
１３  バスバー
１５  ハウジング
１７  一端
１９  端子部
２１  接点部
２３ａ，２４ａ  左右接触バネ片
２３ｂ，２４ｂ  左右接触バネ片
２６  他端
３１  オスタブ
６５  レンズカバー（カバー）
６７  ハウジング挿入開口（挿入開口）
６９  メスコネクタ
【図１】
2013218797.tif 000003
【図２】
2013218797.tif 000004
【図３】
2013218797.tif 000005
【図４】
2013218797.tif 000006
【図５】
2013218797.tif 000007
【図６】
2013218797.tif 000008
【図７】
2013218797.tif 000009
【図８】
2013218797.tif 000010
【図９】
2013218797.tif 000011
【図１０】
2013218797.tif 000012
【図１１】
2013218797.tif 000013